(57)【特許請求の範囲】
【請求項１】
表示部と、
前記表示部の表示面に対向する第１主面と、当該第１主面とは反対側に位置する第２主面とを有する、サファイアから成る第１カバー部材と、
前記第１カバー部材が取り付けられた、前記表示部を収納する機器ケースと、
前記第１カバー部材の前記第２主面の一部である第１部分を覆う第２カバー部材と、
前記第２カバー部材と前記機器ケースとを互いに固定する第１固定部材と
を備え、
前記第１固定部材は、前記第１カバー部材を介さずに、前記第２カバー部材と前記機器ケースとを互いに固定し、
前記第２主面の外形は、
第１方向に沿って延在する第１の部分外形線と、
前記第１方向とは異なる第２方向に沿って延在する第２の部分外形線と、
前記第１の部分外形線の一端と前記第２の部分外形線の一端とを接続する、前記第１及び第２方向とは異なる第３方向に沿って延在する第３の部分外形線と
を有し、
前記第２カバー部材は、前記第１の部分外形線及び前記第３の部分外形線を覆い、
前記第２主面側から見た平面視において、前記第１固定部材は、前記第１の部分外形線の前記一端から前記第１方向に沿って延びる第１仮想線と、前記第２の部分外形線の前記一端から前記第２方向に沿って延びる第２仮想線と、前記第３の部分外形線とで囲まれた領域内に位置する、電子機器。
【請求項２】
請求項１に記載の電子機器であって、
前記第１固定部材は、前記第２カバー部材と前記機器ケースとを、それらの間に何も介さずに直接的に互いに固定する、電子機器。
【請求項３】
請求項１及び請求項２のいずれか一つに記載の電子機器であって、
前記第１カバー部材の前記第２主面の一部である、前記第１部分とは異なる第２部分を覆う、前記第２カバー部材とは別体の第３カバー部材と、
前記第３カバー部材と前記機器ケースとを、前記第１カバー部材を介さずに互いに固定する第２固定部材と
をさらに備える、電子機器。
【請求項４】
請求項３に記載の電子機器であって、
前記第３カバー部材には、複数の操作ボタンが並んで設けられている、電子機器。
【請求項５】
請求項４に記載の電子機器であって、
前記第２固定部材は、前記複数の操作ボタンの並びと同一直線状に設けられる、電子機器。
【請求項６】
請求項１乃至請求項５のいずれか一つに記載の電子機器であって、
前記第２カバー部材は、前記第２主面の前記第１部分と前記機器ケースの側面の一部とを覆う、電子機器。
【請求項７】
請求項１乃至請求項６のいずれか一つに記載の電子機器であって、
前記第１カバー部材は、
前記表示部の表示が透過する表示部分と、
前記表示部分を取り囲む、前記表示部の表示が透過しない非表示部分と
を有し、
前記第２カバー部材は、前記非表示部分の一部を覆う、電子機器。
【請求項８】
請求項１乃至請求項７のいずれか一つに記載の電子機器であって、
前記第２主面側から見た平面視での前記第２カバー部材における、前記第２主面との境
界線は湾曲している、電子機器。
【請求項９】
請求項１乃至請求項８のいずれか一つに記載の電子機器であって、
前記第１固定部材はビスである、電子機器。
【請求項１０】
請求項１乃至請求項９のいずれか一つに記載の電子機器であって、
前記第１カバー部材の前記第１主面に設けられた振動部をさらに備える、電子機器。
【請求項１１】
請求項１０に記載の電子機器であって、
音信号に基づいて前記振動部を振動させる制御部をさらに備え、
前記振動部が前記第１カバー部材を振動させることによって、当該第１カバー部材から
気導音及び伝導音が使用者に伝達される、電子機器。
【発明の詳細な説明】
【技術分野】
【０００１】
本発明は、電子機器に関する。
【背景技術】
【０００２】
特許文献１にも記載されているように、従来から電子機器に関して様々な技術が提案されている。
【先行技術文献】
【特許文献】
【０００３】
【特許文献１】特開２０１３−１３１９８７号公報
【発明の概要】
【発明が解決しようとする課題】
【０００４】
特許文献１に記載されているように、電子機器には、表示部の表示面を覆うカバー部材が設けられることがある。このような電子機器では、落下等によってカバー部材が傷付いたり、破損したりする可能性がある。
【０００５】
そこで、本発明は上述の点に鑑みて成されたものであり、表示面を覆うカバー部材が傷付いたり、破損したりすることを抑制することが可能な技術を提供することを目的とする。
【課題を解決するための手段】
【０００６】
本発明に係る電子機器の一態様は、表示部と、前記表示部の表示面に対向する第１主面と、当該第１主面とは反対側に位置する第２主面とを有する、サファイアから成る第１カバー部材と、前記第１カバー部材が取り付けられた、前記表示部を収納する機器ケースと、前記第１カバー部材の前記第２主面の一部である第１部分を覆う第２カバー部材と、前記第２カバー部材と前記機器ケースとを互いに固定する第１固定部材とを備え、前記第１固定部材は、前記第１カバー部材を介さずに、前記第２カバー部材と前記機器ケースとを互いに固定し、前記第２主面の外形は、第１方向に沿って延在する第１の部分外形線と、前記第１方向とは異なる第２方向に沿って延在する第２の部分外形線と、前記第１の部分外形線の一端と前記第２の部分外形線の一端とを接続する、前記第１及び第２方向とは異なる第３方向に沿って延在する第３の部分外形線とを有し、前記第２カバー部材は、前記第１の部分外形線及び前記第３の部分外形線を覆い、前記第２主面側から見た平面視において、前記第１固定部材は、前記第１の部分外形線の前記一端から前記第１方向に沿って延びる第１仮想線と、前記第２の部分外形線の前記一端から前記第２方向に沿って延びる第２仮想線と、前記第３の部分外形線とで囲まれた領域内に位置する。
【発明の効果】
【００１２】
本発明の一態様によれば、表示面を覆うカバー部材が傷付いたり、破損したりすることを抑制することができる。
【図面の簡単な説明】
【００１３】
【図１】電子機器の外観を示す前面図である。
【図２】電子機器の一部を拡大して示す前面図である。
【図３】電子機器の外観を示す裏面図である。
【図４】電子機器の外観を示す側面図である。
【図５】電子機器の断面構造を示す図である。
【図６】電子機器の断面構造を示す図である。
【図７】表示面カバー部材をその内側主面側から見た際の平面図である。
【図８】表示面カバー部材をその外側主面側から見た際の平面図である。
【図９】電子機器の電気的構成を示す図である。
【図１０】圧電振動素子の構造を示す上面図である。
【図１１】圧電振動素子の構造を示す側面図である。
【図１２】圧電振動素子が撓み振動する様子を示す図である。
【図１３】圧電振動素子が撓み振動する様子を示す図である。
【図１４】気導音及び伝導音を説明するための図である。
【発明を実施するための形態】
【００１４】
図１は実施の形態に係る電子機器１の外観を示す前面図である。図２は図１に示される電子機器１を部分的に拡大して示す図である。図３及び４はそれぞれ電子機器１の外観を示す裏面図及び右側面図である。図５は、図１に示される電子機器１の矢視Ａ−Ａにおける断面構造を拡大して示す図である。図６は、図１に示される電子機器１の矢視Ｂ−Ｂにおける断面構造を拡大して示す図である。図７及び８は、それぞれ、電子機器１が備える表示面カバー部材２の裏面図及び前面図である。図７に示される表示面カバー部材２には、電子機器１が備える圧電振動素子１９０及び表示パネル１２０が取り付けられている。図９は電子機器１の電気的構成を示すブロック図である。
【００１５】
本実施の形態に係る電子機器１は、例えば、スマートフォン等の携帯電話機である。以下に、図１〜８を参照して、本実施の形態に係る電子機器１について詳細に説明する。まず電子機器１の電気的構成について説明し、その後に電子機器１の機械的構成について説明する。
【００１６】
＜電子機器の電気的構成＞
図９に示されるように、電子機器１には、制御部１００、無線通信部１１０、表示パネル１２０、タッチパネル１３０、近接センサ１４０及びマイク１５０が設けられている。さらに電子機器１には、前面側撮像部１６０、裏面側撮像部１７０、外部スピーカ１８０、圧電振動素子１９０、操作部２００及び電池２１０が設けられている。これらの構成要素は、電子機器１の後述する機器ケース５内に設けられている。
【００１７】
制御部１００は、ＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理する。
【００１８】
記憶部１０３は、ＲＯＭ（Read Only Memory）及びＲＡＭ（Random Access Memory）等の、制御部１００（ＣＰＵ１０１及びＤＳＰ１０２）が読み取り可能な非一時的な記録媒体で構成されている。記憶部１０３には、電子機器１を制御するための、具体的には電子機器１が備える無線通信部１１０、表示パネル１２０等の各構成要素を制御するための制御プログラムであるメインプログラム及び複数のアプリケーションプログラム等が記憶されている。制御部１００の各種機能は、ＣＰＵ１０１及びＤＳＰ１０２が記憶部１０３内の各種プログラムを実行することによって実現される。
【００１９】
なお記憶部１０３は、ＲＯＭ及びＲＡＭ以外の、コンピュータが読み取り可能な非一時的な記録媒体を備えていても良い。記憶部１０３は、例えば、小型のハードディスクドライブ及びＳＳＤ（Solid State Drive）等を備えていても良い。
【００２０】
無線通信部１１０は、アンテナ１１１を有している。無線通信部１１０は、電子機器１とは別の携帯電話機からの信号、あるいはインターネットに接続されたウェブサーバ等の通信装置からの信号を基地局を介してアンテナ１１１で受信する。無線通信部１１０は、受信信号に対して増幅処理及びダウンコンバートを行って制御部１００に出力する。制御部１００は、入力される受信信号に対して復調処理等を行って、当該受信信号に含まれる、音声や音楽などを示す音信号（音情報）などを取得する。
【００２１】
また無線通信部１１０は、制御部１００で生成された、音信号等を含む送信信号に対して、アップコンバート及び増幅処理を行って、処理後の送信信号をアンテナ１１１から無線送信する。アンテナ１１１からの送信信号は、基地局を通じて、電子機器１とは別の携帯電話機あるいはインターネットに接続された通信装置で受信される。
【００２２】
表示部である表示パネル１２０は、例えば、液晶表示パネルあるいは有機ＥＬパネルである。表示パネル１２０は、制御部１００によって制御されることによって、文字、記号、図形などの各種情報を表示する。表示パネル１２０に表示される情報は、表示面カバー部材２の表示部分２ａ（図１，５等参照）を通じて、電子機器１の使用者に視認可能となる。
【００２３】
タッチパネル１３０は、例えば、投影型静電量容量方式のタッチパネルである。タッチパネル１３０は、表示面カバー部材２の表示部分２ａに対する物体の接触を検出する。タッチパネル１３０は、後述するように、表示面カバー部材２の内側主面２０に貼り付けられている（図５等参照）。タッチパネル１３０は、互いに対向配置されたシート状の二つの電極センサを備えている。二つの電極センサは透明粘着性シートによって貼り合わされている。
【００２４】
一方の電極センサには、それぞれがＸ軸方向（例えば電子機器１の左右方向）に沿って延在し、かつ互いに平行に配置された複数の細長いＸ電極が形成されている。他方の電極センサには、それぞれがＹ軸方向（例えば電子機器１の上下方向）に沿って延在し、かつ互いに平行に配置された複数の細長いＹ電極が形成されている。表示面カバー部材２の表示部分２ａに対して使用者の指等が接触すると、その接触箇所の下にあるＸ電極及びＹ電極の間の静電容量が変化する。これにより、タッチパネル１３０において表示面カバー部材２の表示部分２ａに対する操作（接触）が検出される。タッチパネル１３０は、Ｘ電極及びＹ電極の間の静電容量変化を示す電気的信号を生成して制御部１００に出力する。制御部１００は当該電気的信号に基づいて表示面カバー部材２の表示部分２ａに対して行われた操作の内容を特定し、それに応じた動作を行う。
【００２５】
近接センサ１４０は、例えば赤外線方式の近接センサである。近接センサ１４０は、当該近接センサ１４０に対して物体が所定距離以内に近接すると検出信号を出力する。この検出信号は制御部１００に入力される。制御部１００は、近接センサ１４０から検出信号を受け取ると、例えば、タッチパネル１３０での操作検出機能を停止する。
【００２６】
前面側撮像部１６０は、撮像レンズ及び撮像素子などで構成されている。前面側撮像部１６０は、制御部１００による制御に基づいて、静止画像及び動画像を撮像する。前面側撮像部１６０の撮像レンズは、電子機器１の前面に設けられた前面レンズ用透明部１１（図１，２等参照）から視認可能となっている。したがって、前面側撮像部１６０は、電子機器１の前面側（表示面カバー部材２側）に存在する物体を撮像することが可能である。
【００２７】
裏面側撮像部１７０は、撮像レンズ及び撮像素子などで構成されている。裏面側撮像部１７０は、制御部１００による制御に基づいて、静止画像及び動画像を撮像する。裏面側撮像部１７０の撮像レンズは、電子機器１の裏面に設けられた裏面レンズ用透明部１３（図３参照）から視認可能となっている。したがって、裏面側撮像部１７０は、電子機器１の裏面側に存在する物体を撮像することが可能である。
【００２８】
マイク１５０は、電子機器１の外部から入力される音を電気的な音信号に変換して制御部１００に出力する。電子機器１の外部からの音は、当該電子機器１に設けられたマイク穴（図示せず）から当該電子機器１の内部に取り込まれてマイク１５０に入力される。
【００２９】
外部スピーカ１８０は、例えばダイナミックスピーカである。外部スピーカ１８０は、制御部１００からの電気的な音信号を音に変換して出力する。外部スピーカ１８０から出力される音は、電子機器１の裏面に設けられたスピーカ穴１２（図３参照）から外部に出力される。スピーカ穴１２から出力される音については、電子機器１から離れた場所でも聞こえるような音量となっている。
【００３０】
圧電振動素子１９０は、後述するように、電子機器１の前面に設けられた表示面カバー部材２の内側主面２０に対して貼り付けられている（図５等参照）。圧電振動素子１９０は、制御部１００から与えられる駆動電圧によって振動させられる。制御部１００は、音信号に基づいて駆動電圧を生成し、当該駆動電圧を圧電振動素子１９０に与える。圧電振動素子１９０が、制御部１００によって音信号に基づいて振動させられることによって、表示面カバー部材２が音信号に基づいて振動する。その結果、表示面カバー部材２から使用者に受話音が伝達される。この受話音の音量は、使用者が表示面カバー部材２に耳を近づけた際に適切に聞こえる程度の音量となっている。表示面カバー部材２から使用者に伝達される受話音については後で詳細に説明する。
【００３１】
操作部２００は、複数の操作ボタン２０１（図１参照）を有している。操作部２００は、複数の操作ボタン２０１のそれぞれについて、当該操作ボタン２０１が使用者によって押下されると、当該操作ボタン２０１が押下されたことを示す操作信号を制御部１００に出力する。制御部１００は、入力される操作信号に基づいて、複数の操作ボタン２０１のうちのどの操作ボタン２０１が操作されたかを特定し、操作された操作ボタン２０１に応じた動作を行う。
【００３２】
電池２１０は、電子機器１の電源を出力する。電池２１０から出力された電源は、電子機器１が備える制御部１００及び無線通信部１１０などに含まれる各電子部品に対して供給される。
【００３３】
＜電子機器の機械的構成＞
図１等に示されるように、電子機器１は、板状であって、平面視において少し丸みをおびた略長方形を成している。電子機器１は、表示パネル１２０の表示面１２０ａ（図５参照）を覆う透明の表示面カバー部材２と、表示面カバー部材２を支持する前面側ケース３と、前面側ケース３に取り付けられる背面側ケース４とを備えている。背面側ケース４は、前面側ケースに取り付けられる、電池２１０を収納するケース本体４０と、ケース本体４０に対して電子機器１の裏面側から取り付けられるカバー部材４１とで構成されている。ケース本体４０に収納された電池２１０はカバー部材４１で覆われている。
【００３４】
本実施の形態では、前面側ケース３及び背面側ケース４によって、各種部品を収納する機器ケース５が構成されている。前面側ケース３と背面側ケース４とで囲まれた空間には、ＣＰＵ１０１及びＤＳＰ１０２などの各種部品が搭載されたプリント基板（図示せず）が設けられている。
【００３５】
また、電子機器１は、表示面カバー部材２の上端部を覆う上側カバー部材６と、表示面カバー部材２の下端部を覆う下側カバー部材７とを備えている。上側カバー部材６及び下側カバー部材７は、機器ケース５、詳細には前面側ケース３に取り付けられている。電子機器１の外装は、表示面カバー部材２、上側カバー部材６、下側カバー部材７及び機器ケース５によって構成されている。
【００３６】
前面側ケース３、背面側ケース４、上側カバー部材６及び下側カバー部材７のそれぞれは、例えば、樹脂で形成されている。前面側ケース３、背面側ケース４、上側カバー部材６及び下側カバー部材７を形成する樹脂としては、例えば、ポリカーボネート樹脂、ＡＢＳ樹脂あるいはナイロン系樹脂が採用される。
【００３７】
表示面カバー部材２は一方向に長い板状である。表示面カバー部材２は、表示パネル１２０の表示面１２０ａと対向する内側主面２０と、当該内側主面２０とは反対側に位置する外側主面２１とを有している。表示面カバー部材２は、サファイア単結晶から成る。ここで、サファイア単結晶とは、アルミナ（Ａｌ２Ｏ３）の単結晶のことをいい、本明細書では、Ａｌ２Ｏ３純度が約９０％以上の単結晶のことをいう。傷がよりつき難く、割れや欠け等をより確実に抑制する点で、Ａｌ２Ｏ３純度は９９％以上であることが好ましい。
【００３８】
表示面カバー部材２には、表示パネル１２０の表示が透過する透明の表示部分（表示窓とも呼ばれる）２ａが設けられている。表示部分２ａは例えば平面視で長方形を成している。表示パネル１２０から出力される可視光は表示部分２ａを通って電子機器１の外部に取り出される。使用者は、電子機器１の外部から、表示部分２ａを通じて、表示パネル１２０に表示される情報が視認可能となっている。
【００３９】
表示面カバー部材２における、表示部分２ａを取り囲む周端部（周縁部）２ｂの大部分は、例えばフィルム等が貼られることによって黒色となっている。これにより、周端部２ｂの大部分は、表示パネル１２０の表示が透過しない非表示部分となっている。
【００４０】
図５に示されるように、表示面カバー部材２の内側主面２０にはタッチパネル１３０が貼り付けられている。そして、表示パネル１２０は、タッチパネル１３０における、内側主面２０側の主面とは反対側の主面に貼り付けられている。つまり、表示パネル１２０は、タッチパネル１３０を介して表示面カバー部材２の内側主面２０に取り付けられている。そして、表示パネル１２０は表示面カバー部材２と前面側ケース３とで挟まれている。表示面カバー部材２では、表示パネル１２０と対向している部分が表示部分２ａとなる。使用者は、表示面カバー部材２の表示部分２ａを指等で操作することによって、電子機器１に対して各種指示を与えることができる。
【００４１】
本実施の形態では、表示面カバー部材２がサファイアから成るため、表示面カバー部材２の表示部分２ａ、つまり表示面カバー部材２における、使用者によって操作される部分が傷付きにくくなる。
【００４２】
図５に示されるように、圧電振動素子１９０は、表示面カバー部材２の内側主面２０に対して貼付部材２５０によって貼り付けられている。貼付部材２５０としては、両面テープあるいは接着剤が採用される。
【００４３】
図３に示されるように、電子機器１の裏面には、具体的には背面側ケース４のカバー部材４１の外側の面には、スピーカ穴１２があけられている。また、電子機器１の裏面には、機器ケース５内の裏面側撮像部１７０が有する撮像レンズが電子機器１の外部から視認できるための裏面レンズ用透明部１３が設けられている。
【００４４】
表示面カバー部材２の上側端部には、機器ケース５内の近接センサ１４０が電子機器１の外部から視認できるための近接センサ用透明部１０が設けられている。また、表示面カバー部材２の上側端部には、機器ケース５内の前面側撮像部１６０が有する撮像レンズが電子機器１の外部から視認できるための前面レンズ用透明部１１が設けられている。
【００４５】
図５，６に示されるように、表示面カバー部材２は前面側ケース３に対して貼付部材２６０によって貼り付けられる。本実施の形態では、表示面カバー部材２の内側主面２０の周端部の全周囲が、貼付部材２６０によって前面側ケース３に貼り付けられる。貼付部材２６０としては、両面テープあるいは接着剤が採用される。
【００４６】
機器ケース５の内部に設けられた操作部２００の複数の操作ボタン２０１のそれぞれは、いわゆる「ハードキー」である。図１に示されるように、各操作ボタン２０１の表面は、表示面カバー部材２の下側端部を覆う下側カバー部材７から露出している。
【００４７】
＜表示面カバー部材の形状の詳細＞
図１，２，５，７，８等に示されるように、表示面カバー部材２は、長方形の板状部材の上側の２つの角部を除去した形状を成している。表示面カバー部材２の内側主面２０及び外側主面２１のそれぞれは六角形を成している。
【００４８】
図１，２，８等に示されるように、外側主面２１の外形は、第１の部分外形線２３と、第２の部分外形線２４と、第３の部分外形線２５と、第４の部分外形線２６と、第５の部分外形線２７と、第６の部分外形線２８とを有している。第１の部分外形線２３、第２の部分外形線２４、第３の部分外形線２５、第４の部分外形線２６、第５の部分外形線２７及び第６の部分外形線２８のそれぞれは直線となっている。
【００４９】
第１の部分外形線２３及び第２の部分外形線２４は、互いに平行を成して表示面カバー部材２の短手方向ＤＲ２（図７，８参照）に沿って延在している。第３の部分外形線２５及び第４の部分外形線２６は、互いに平行を成して表示面カバー部材２の長手方向ＤＲ１（図７，８参照）に沿って延在している。第１の部分外形線２３及び第２の部分外形線２４は、第３の部分外形線２５及び第４の部分外形線２６よりも短くなっている。また第１の部分外形線２３は、第２の部分外形線２４よりも短くなっている。第１の部分外形線２３は、第３の部分外形線２５の一端から長手方向ＤＲ１に沿って外側に延びる仮想線２５ａと、第４の部分外形線２６の一端から長手方向ＤＲ１に沿って外側に延びる仮想線２６ａとの間に位置している。第２の部分外形線２４の一端及び他端は、第３の部分外形線２５及び第４の部分外形線２６の他端とそれぞれ接続されている。
【００５０】
第５の部分外形線２７及び第６の部分外形線２８のそれぞれは、長手方向ＤＲ１及び短手方向ＤＲ２の両方に対して傾斜している。第５の部分外形線２７は、第１の部分外形線２３の一端から、外側に向けて斜め下方向に延びて第３の部分外形線２５の一端に達している。第６の部分外形線２８は、第１の部分外形線２３の他端から、外側に向けて斜め下方向に延びて第４の部分外形線２６の一端に達している。
【００５１】
同様に、内側主面２０の外形は、図７に示されるように、第１の部分外形線３３と、第２の部分外形線３４と、第３の部分外形線３５と、第４の部分外形線３６と、第５の部分外形線３７と、第６の部分外形線３８とを有している。内側主面２０が有する、第１の部分外形線３３、第２の部分外形線３４、第３の部分外形線３５、第４の部分外形線３６、第５の部分外形線３７及び第６の部分外形線３８は、外側主面２１が有する、第１の部分外形線２３、第２の部分外形線２４、第３の部分外形線２５、第４の部分外形線２６、第５の部分外形線２７及び第６の部分外形線２８にそれぞれ対応する。
【００５２】
なお、図７，８等に示される表示面カバー部材２では、下側の２つの角部が直角を成していたが、丸くなっていても良い。また、表示面カバー部材２における下側の２つの角部は、上側の２つの角部と同様に、除去されていても良い。
【００５３】
以後、特に断らない限り、長手方向及び短手方向と言えば、表示面カバー部材２の長手方向及び短手方向をそれぞれ意味する。
【００５４】
＜上側カバー部材と表示面カバー部材との関係＞
図４に示されるように、上側カバー部材６は側面視において略Ｌ字形を成している。上側カバー部材６は、図４〜６等に示されるように、電子機器１の上側側面から、電子機器１の前面の上端部にかけて存在している。上側カバー部材６は、図４に示されるように、機器ケース５の上側側面、詳細には前面側ケース３の上側側面と接している。また上側カバー部材６は、機器ケース５の左右方向の側面及び下側側面を覆っていない。
【００５５】
上側カバー部材６は、２つの固定部材２２０，２２１によって前面側ケース３に固定されている。固定部材２２０，２２１のそれぞれは、例えばビス（ねじくぎ）である。固定部材２２０，２２１が、上側カバー部材６及び前面側ケース３に取り付けされることによって（図６参照）、上側カバー部材６と前面側ケース３とが互いに固定される。
【００５６】
上側カバー部材６は、図１，２等に示されるように、表示面カバー部材２の外側主面２１の上端部を覆っている。具体的には、上側カバー部材６は、表示面カバー部材２の外側主面２１の外形における第１の部分外形線２３、第５の部分外形線２７及び第６の部分外形線２８を覆っている。そして、外側主面２１側から見た平面視での上側カバー部材６における、外側主面２１との境界線６０は、外側主面２１側とは反対側に湾曲している。つまり、当該境界線６０は電子機器１の上端側に凸の弓形となっている。上側カバー部材６は、外側主面２１が有する、第１の部分外形線２３、第２の部分外形線２４、第３の部分外形線２５、第４の部分外形線２６、第５の部分外形線２７及び第６の部分外形線２８のうち、第１の部分外形線２３、第５の部分外形線２７及び第６の部分外形線２８だけを覆っており、第２の部分外形線２４、第３の部分外形線２５及び第４の部分外形線２６は覆っていない。
【００５７】
上側カバー部材６は、表示面カバー部材２の外側主面２１の一部を覆っているものの、図５，６等に示されるように、表示面カバー部材２とは接触しないように前面側ケース３に取り付けられている。よって、上側カバー部材６は、表示面カバー部材２には固定されていない。
【００５８】
固定部材２２０は、図１及び２に示されるように、表示面カバー部材２の外側主面２１側から見た平面視において、電子機器１の左上角部に位置している。固定部材２２０は、図２に示されるように、外側主面２１側から見た平面視において、第１の部分外形線２３の一端から短手方向に沿って外側に延びる仮想線２３ａと、第３の部分外形線２５の一端から長手方向に沿って外側に延びる仮想線２５ａと、第５の部分外形線２７とで囲まれた領域２３０内に位置している。固定部材２２０は、上側カバー部材６における、電子機器１の前面に位置する部分に取り付けられる。なお、固定部材２２０は、外側主面２１側から見た平面視において、当該領域２３０内に、使用者が視認可能な状態で位置しても良いし、蓋等が取り付けられることにより使用者が視認不可能な状態で位置しても良い。
【００５９】
固定部材２２１は、図１及び２に示されるように、外側主面２１側から見た平面視において、電子機器１の右上角部に位置している。固定部材２２１は、図２に示されるように、外側主面２１側から見た平面視において、第１の部分外形線２３の他端から短手方向に沿って外側に延びる仮想線２３ｂと、第４の部分外形線２６の一端から長手方向に沿って外側に延びる仮想線２６ａと、第６の部分外形線２８とで囲まれた領域２３１内に位置している。固定部材２２１は、上側カバー部材６における、電子機器１の前面に位置する部分に取り付けられる。なお、固定部材２２１は、外側主面２１側から見た平面視において、当該領域２３１内に、使用者が視認可能な状態で位置しても良いし、蓋等が取り付けられることにより使用者が視認不可能な状態で位置しても良い。
【００６０】
上述のように、本実施の形態では、外側主面２１側から見た平面視での上側カバー部材６における、外側主面２１との境界線６０は湾曲している。したがって、外側主面２１における露出面２１ａ（外側主面２１において使用者が視認可能な領域）の外形の一部、具体的には当該露出面２１ａの上端２１ａａは湾曲している。また、外側主面２１側から見た平面視での上側カバー部材６の上端６１は外側に湾曲している。つまり、外側主面２１側から見た平面視での電子機器１の上端は外側に湾曲している。本実施の形態では、デザイン性の観点から、外側主面２１の露出面２１ａの上端２１ａａと、外側主面２１側から見た平面視での電子機器１の上端とを互いに同じように湾曲させている。
【００６１】
＜下側カバー部材と表示面カバー部材との関係＞
図４に示されるように、下側カバー部材７は側面視において略Ｌ字形を成している。下側カバー部材７は、図４，５に示されるように、電子機器１の下側側面から、電子機器１の前面の下端部にかけて存在している。下側カバー部材７は、図４に示されるように、機器ケース５の下側側面、詳細には前面側ケース３の下側側面に接している。また下側カバー部材７は、機器ケース５の左右方向の側面及び上側側面を覆っていない。
【００６２】
下側カバー部材７は、２つの固定部材２２２，２２３によって前面側ケース３に固定されている。固定部材２２２，２２３のそれぞれは、例えばビス（ねじくぎ）である。固定部材２２２，２２３が、下側カバー部材７及び前面側ケース３に取り付けされることによって、下側カバー部材７と前面側ケース３とが互いに固定される。
【００６３】
下側カバー部材７は、図１等に示されるように、表示面カバー部材２の外側主面２１の下側端部を覆っている。具体的には、下側カバー部材７は、表示面カバー部材２の外側主面２１における第２の部分外形線２４の全部と、外側主面２１における第３の部分外形線２５及び第４の部分外形線２６の下側端部とを覆っている。そして、外側主面２１側から見た平面視での下側カバー部材７における、外側主面２１との境界線７０は、短手方向に沿って延びた直線となっている。
【００６４】
また、外側主面２１側から見た平面視での下側カバー部材７の下端７１は外側に湾曲している。つまり、外側主面２１側から見た平面視での電子機器１の下端は外側に湾曲している。本実施の形態では、デザイン性の観点から、外側主面２１側から見た平面視での電子機器１の下端を湾曲させている。
【００６５】
下側カバー部材７は、表示面カバー部材２の外側主面２１の一部を覆っているものの、図４，５に示されるように、当該表示面カバー部材２とは接触しないように前面側ケース３に取り付けられている。よって、下側カバー部材７は、表示面カバー部材２には固定されていない。
【００６６】
固定部材２２２は、図１に示されるように、外側主面２１側から見た平面視において、電子機器１の左下角部に位置している。固定部材２２２は、外側主面２１側から見た平面視において、第２の部分外形線２４よりも下方に位置している。固定部材２２２は、下側カバー部材７における、電子機器１の前面に位置する部分に取り付けられる。なお、固定部材２２２は、外側主面２１側から見た平面視において、電子機器１の左下角部に、使用者が視認可能な状態で位置しても良いし、蓋等が取り付けられることにより使用者が視認不可能な状態で位置しても良い。
【００６７】
固定部材２２３は、図１に示されるように、外側主面２１側から見た平面視において、電子機器１の右下角部に位置している。固定部材２２３は、外側主面２１側から見た平面視において、第２の部分外形線２４よりも下方に位置している。固定部材２２３は、下側カバー部材７における、電子機器１の前面に位置する部分に取り付けられる。なお、固定部材２２３は、外側主面２１側から見た平面視において、電子機器１の右下角部に、使用者が視認可能な状態で位置しても良いし、蓋等が取り付けられることにより使用者が視認不可能な状態で位置しても良い。
【００６８】
以上のように、本実施の形態では、外側主面２１側から見た平面視での上側カバー部材６における、外側主面２１との境界線６０を湾曲させることによって、外側主面２１の露出面２１ａの外形の一部、具体的には当該露出面２１ａの上端２１ａａを湾曲させている。
【００６９】
これに対して、本実施の形態とは異なり、上側カバー部材６を設けずに、外側主面２１の上端が湾曲するように表示面カバー部材２を加工し、表示面カバー部材２の外側主面２１が全て露出するようにすることによっても、外側主面２１の露出面の上端を湾曲させることは可能である。
【００７０】
しかしながら、サファイアから成る表示面カバー部材２は、ガラス等から成る表示面カバー部材よりも硬いことから、外側主面２１の上端が湾曲するように表示面カバー部材２を加工することは困難である。
【００７１】
本実施の形態では、外側主面２１側から見た平面視での上側カバー部材６における、外側主面２１との境界線６０を湾曲させることによって、外側主面２１の露出面２１ａの上端２１ａａを湾曲させていることから、外側主面２１の上端が湾曲するように表示面カバー部材２を加工することなく、外側主面２１の露出面２１ａの上端２１ａａを簡単に湾曲させることができる。
【００７２】
また、表示面カバー部材２の外側主面２１の上側端部は上側カバー部材６によって覆われていることから、上側カバー部材６によって表示面カバー部材２を保護することができる。よって、電子機器１の落下等によって、表示面カバー部材２が傷付いたり、破損したりすることを抑制することができる。
【００７３】
また、表示面カバー部材２の外側主面２１の下側端部は下側カバー部材７によって覆われていることから、下側カバー部材７によって表示面カバー部材２を保護することができる。よって、表示面カバー部材２が傷付いたり、破損したりすることを抑制することができる。
【００７４】
また、本実施の形態では、固定部材２２０は、外側主面２１側から見た平面視において、第１の部分外形線２３の一端から短手方向に沿って延びる仮想線２３ａと、第３の部分外形線２５の一端から長手方向に沿って延びる仮想線２５ａと、第５の部分外形線２７とで囲まれた領域２３０内に位置している（図２参照）。つまり、表示面カバー部材２の短手方向の一方の角部が除去されることによって得られた空きスペースが利用されて固定部材２２０が配置されている。
【００７５】
また、固定部材２２１は、外側主面２１側から見た平面視において、第１の部分外形線２３の他端から短手方向に沿って延びる仮想線２３ｂと、第４の部分外形線２６の一端から長手方向に沿って延びる仮想線２６ａと、第６の部分外形線２８とで囲まれた領域２３１内に位置している（図２参照）。つまり、表示面カバー部材２の短手方向の他方の角部が除去されることによって得られた空きスペースが利用されて固定部材２２１が配置されている。
【００７６】
これに対して、本実施の形態とは異なり、表示面カバー部材２の左右方向の両角部が除去されていないことにより外側主面２１が第５の部分外形線２７及び第６の部分外形線２８を有しておらず、第１の部分外形線２３の一端及び他端が第３の部分外形線２５及び第４の部分外形線２６の一端とそれぞれ接続されている場合を考える。この場合には、外側主面２１側から見た平面視において、固定部材２２０，２２１は、第１の部分外形線２３よりも上側に配置する必要がある。その結果、電子機器１の長手方向の長さが大きくなってしまう。
【００７７】
本実施の形態では、固定部材２２０は、外側主面２１側から見た平面視において、第１の部分外形線２３の一端から延びる仮想線２３ａと、第３の部分外形線２５の一端から延びる仮想線２５ａと、第５の部分外形線２７とで囲まれた領域内２３０に位置していることから、固定部材２２０は、外側主面２１側から見た平面視において、第１の部分外形線２３よりも下側に位置する。同様に、外側主面２１側から見た平面視において、固定部材２２１は第１の部分外形線２３よりも下側に位置する。したがって、固定部材２２０，２２１の存在により、電子機器１の長手方向の長さが大きくなることを抑制することができる。
【００７８】
なお、固定部材２２０〜２２３は、ビス以外の部材であっても良い。例えば、固定部材２２０，２２１は、上側カバー部材６と前面側ケース３とを貼り合わせる両面テープあるいは接着剤であっても良い。同様に、固定部材２２２，２２３は、下側カバー部材７と前面側ケース３とを貼り合わせる両面テープあるいは接着剤であっても良い。
【００７９】
また、本実施の形態とは異なり、表示面カバー部材２の外側主面２１の外形（第１の部分外形線２４、第２の部分外形線２４、第３の部分外形線２５、第４の部分外形線２６、第５の部分外形線２７及び第６の部分外形線２８）をすべて覆うようなカバー部材が機器ケース５に取り付けられた場合には、当該カバー部材と表示面カバー材２との間に使用者の爪等が入り易くなり、当該カバー部材がめくれることがある。
【００８０】
本実施の形態では、表示面カバー部材２の外側主面２１での短手方向の両辺（第３の部分外形線２５と第４の部分外形線２６）の大部分は、上側カバー部材６及び下側カバー部材７に覆われていないことから、表示面カバー部材２と上側カバー部材６の間、及び表示面カバー部材２と下側カバー部材７の間に使用者の爪等が入りにくくなる。よって、上側カバー部材６及び下側カバー部材７がめくれることを抑制することができる。
【００８１】
＜圧電振動素子の詳細＞
図１０，１１は、それぞれ、圧電振動素子１９０の構造を示す上面図及び側面図である。図１０，１１に示されるように、圧電振動素子１９０は一方向に長い形状を成している。具体的には、圧電振動素子１９０は、平面視で長方形の細長い板状を成している。圧電振動素子１９０は、例えばバイモルフ構造を有している。圧電振動素子１９０は、シム材１９０ｃを介して互いに貼り合わされた第１圧電セラミック板１９０ａ及び第２圧電セラミック板１９０ｂを備えている。
【００８２】
圧電振動素子１９０では、第１圧電セラミック板１９０ａに対して正の電圧を印加し、第２圧電セラミック板１９０ｂに対して負の電圧を印加すると、第１圧電セラミック板１９０ａは長手方向に沿って伸び、第２圧電セラミック板１９０ｂは長手方向に沿って縮むようになる。これにより、図１２に示されるように、圧電振動素子１９０は、第１圧電セラミック板１９０ａを外側にして山状に撓むようになる。
【００８３】
一方で、圧電振動素子１９０では、第１圧電セラミック板１９０ａに対して負の電圧を印加し、第２圧電セラミック板１９０ｂに対して正の電圧を印加すると、第１圧電セラミック板１９０ａは長手方向に沿って縮み、第２圧電セラミック板１９０ｂは長手方向に沿って伸びるようになる。これにより、図１３に示されるように、圧電振動素子１９０は、第２圧電セラミック板１９０ｂを外側にして山状に撓むようになる。
【００８４】
圧電振動素子１９０は、図１２の状態と図１３の状態とを交互にとることによって、長手方向に沿って撓み振動を行う。制御部１００は、第１圧電セラミック板１９０ａと第２圧電セラミック板１９０ｂとの間に、正の電圧と負の電圧とが交互に現れる交流電圧を印加することによって、圧電振動素子１９０を長手方向に沿って撓み振動させる。
【００８５】
なお、図１０〜１３に示される圧電振動素子１９０では、シム材１９０ｃを間に挟んで貼り合わされた第１圧電セラミック板１９０ａ及び第２圧電セラミック板１９０ｂから成る構造が１つだけ設けられていたが、複数の当該構造を積層させても良い。
【００８６】
このような構造を有する圧電振動素子１９０は、図７に示されるように、表示面カバー部材２の内側主面２０の周端部に配置される。具体的には、圧電振動素子１９０は、表示面カバー部材２の内側主面２０の上側端部における、短手方向ＤＲ２の中央部に配置される。また、圧電振動素子１９０は、その長手方向が、表示面カバー部材２の短手方向ＤＲ２に沿うように配置される。これにより、圧電振動素子１９０は、表示面カバー部材２の短手方向ＤＲ２に沿って撓み振動を行う。そして、圧電振動素子１９０の長手方向の中心は、表示面カバー部材２の内側主面２０の上側端部における短手方向ＤＲ２の中心と一致している。
【００８７】
ここで、上述の図１２，１３に示されるように、撓み振動を行う圧電振動素子１９０では、その長手方向の中心が最も変位量が大きくなる。したがって、圧電振動素子１９０の長手方向の中心が、表示面カバー部材２の内側主面２０の上側端部における短手方向ＤＲ２の中心と一致することによって、圧電振動素子１９０における、撓み振動での変位量が最大となる箇所が、表示面カバー部材２の内側主面２０の上側端部における短手方向ＤＲ２の中心に一致するようになる。
【００８８】
また、内側主面２０が有する第５の部分外形線３７における、第３の部分外形線３５と接続された一端と、内側主面２０が有する第６の部分外形線３８における、第４の部分外形線３６と接続された一端とを通る直線の仮想線３９を考える。本実施の形態では、圧電振動素子１９０の少なくとも一部は、仮想線３９と、第５の部分外形線３７と、第６の部分外形線３８と、第１の部分外形線３３とで囲まれた領域２４０内に配置されている。なお、圧電振動素子１９０のすべてを当該領域２４０内に配置しても良い。
【００８９】
＜受話音の発生について＞
本実施の形態に係る電子機器１では、圧電振動素子１９０が表示面カバー部材２を振動させることによって、当該表示面カバー部材２から気導音及び伝導音が使用者に伝達される。言い換えれば、圧電振動素子１９０自身の振動が表示面カバー部材２に伝わることにより、当該表示面カバー部材２から気導音及び伝導音が使用者に伝達される。
【００９０】
ここで、気導音とは、外耳道孔（いわゆる「耳の穴」）に入った音波（空気振動）が鼓膜を振動させることによって、人の脳で認識される音である。一方で、伝導音とは、耳介が振動させられ、その耳介の振動が鼓膜に伝わって当該鼓膜が振動することによって、人の脳で認識される音である。以下に、気導音及び伝導音について詳細に説明する。
【００９１】
図１４は気導音及び伝導音を説明するための図である。図１４には、電子機器１の使用者の耳の構造が示されている。図１２においては、波線４００は気道音が脳で認識される際の音信号（音情報）の伝導経路を示している。実線４１０は伝導音が脳で認識される際の音信号の伝導経路を示している。
【００９２】
表示面カバー部材２に取り付けられた圧電振動素子１９０が、受話音を示す電気的な音信号に基づいて振動させられると、表示面カバー部材２が振動して、当該表示面カバー部材２から音波が出力される。使用者が、電子機器１を手に持って、当該電子機器１の表示面カバー部材２を当該使用者の耳介３００に近づけると、あるいは当該電子機器１の表示面カバー部材２を当該使用者の耳介３００に当てると（接触させると）、当該表示面カバー部材２から出力される音波が外耳道孔３１０に入る。表示面カバー部材２からの音波は、外耳道孔３１０内を進み、鼓膜３２０を振動させる。鼓膜３２０の振動は耳小骨３３０に伝わり、耳小骨３３０が振動する。そして、耳小骨３３０の振動は蝸牛３４０に伝わって、蝸牛３４０において電気信号に変換される。この電気信号は、聴神経３５０を通って脳に伝達され、脳において受話音が認識される。このようにして、表示面カバー部材２から使用者に対して気導音が伝達される。
【００９３】
また、使用者が、電子機器１を手に持って、当該電子機器１の表示面カバー部材２を当該使用者の耳介３００に当てると、耳介３００が、圧電振動素子１９０によって振動させられている表示面カバー部材２によって振動させられる。耳介３００の振動は鼓膜３２０に伝わり、鼓膜３２０が振動する。鼓膜３２０の振動は耳小骨３３０に伝わり、耳小骨３３０が振動する。そして、耳小骨３３０の振動は蝸牛３４０に伝わり、蝸牛３４０において電気信号に変換される。この電気信号は、聴神経３５０を通って脳に伝達され、脳において受話音が認識される。このようにして、表示面カバー部材２から使用者に対して伝導音が伝達される。図１４では、耳介３００内部の耳介軟骨３００ａも示されている。
【００９４】
なお、ここでの伝導音は、骨導音（「骨伝導音」とも呼ばれる）とは異なるものである。骨導音は、頭蓋骨を振動させて、頭蓋骨の振動が直接蝸牛などの内耳を刺激することによって、人の脳で認識される音である。図１４においては、例えば下顎骨５００を振動させた場合において、骨伝導音が脳で認識される際の音信号の伝達経路を複数の円弧４２０で示している。
【００９５】
このように、本実施の形態では、圧電振動素子１９０が前面の表示面カバー部材２を適切に振動させることによって、表示面カバー部材２から電子機器１の使用者に対して気導音及び伝導音を伝えることができる。使用者は、表示面カバー部材２に耳（耳介）を近づけることによって当該表示面カバー部材２からの気導音を聞くことができる。また使用者は、表示面カバー部材２に耳（耳介）を接触させることによって当該表示面カバー部材２からの気導音及び伝導音を聞くことができる。本実施の形態に係る圧電振動素子１９０では、使用者に対して適切に気導音及び伝導音を伝達できるように、その構造が工夫されている。使用者に対して気導音及び伝導音を伝えることができるように電子機器１を構成することによって様々メリットが発生する。
【００９６】
例えば、使用者は、表示面カバー部材２を耳に当てれば音が聞こえることから、電子機器１において耳を当てる位置をそれほど気にすることなく通話を行うことができる。
【００９７】
また、使用者は、周囲の騒音が大きい場合には、耳を表示面カバー部材２に強く押し当てることによって、伝導音の音量を大きくしつつ、周囲の騒音を聞こえにくくすることができる。よって、使用者は、周囲の騒音が大きい場合であっても、適切に通話を行うことができる。
【００９８】
また、使用者は、耳栓やイヤホンを耳に取り付けた状態であっても、表示面カバー部材２を耳（より詳細には耳介）に当てることによって、電子機器１からの受話音を認識することができる。また、使用者は、耳にヘッドホンを取り付けた状態であっても、当該ヘッドホンに表示面カバー部材２を当てることによって、電子機器１からの受話音を認識することができる。
【００９９】
なお、表示面カバー部材２のうち、圧電振動素子１９０が取り付けられている部分が比較的振動し易くなる。したがって、使用者は、表示面カバー部材２のうち圧電振動素子１９０が取り付けられている上側端部（特に上側端部の短手方向ＤＲ２の中央部）に対して、耳を近づけたり、耳を押し当てたりすると、表示面カバー部材２からの音が聞こえ易くなる。
【０１００】
また、本実施の形態では、上述のように、表示面カバー部材２の外側主面２１の上端部を覆う上側カバー部材６は、表示面カバー部材２に固定されていないことから、表示面カバー部材２が上側カバー部材６によって振動しにくくなることを抑制することができる。よって、上側カバー部材６によって、表示面カバー部材２からの音が使用者に伝達されにくくなることを抑制することができる。
【０１０１】
また、本実施の形態では、表示面カバー部材２の外側主面２１の下端部を覆う下側カバー部材７は、表示面カバー部材２に固定されていないことから、表示面カバー部材２が下側カバー部材７によって振動しにくくなることを抑制することができる。よって、下側カバー部材７によって、表示面カバー部材２からの音が使用者に伝達されにくくなることを抑制することができる。
【０１０２】
なお、上記の例では、第５の部分外形線２７，３７及び第６の部分外形線２８，３８の形状は、直線であったが、それ以外の形状であっても良い。例えば、第５の部分外形線２７，３７及び第６の部分外形線２８，３８の形状は、曲線であっても良いし、波形であっても良い。
【０１０３】
また上記の例では、本願発明を携帯電話機に適用する場合を例にあげて説明したが、本願発明は、スマートフォン等の携帯電話機以外の電子機器、例えばタブレット端末等にも適用することができる。
【０１０４】
以上のように、電子機器１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【０１０５】
１  電子機器  
２  表示面カバー部材
５  機器ケース
６  上側カバー部材
７  下側カバー部材
２０  内側主面
２１  外側主面
１００  制御部
１２０  表示パネル
１２０ａ  表示面
１９０  圧電振動素子
２２０，２２１  固定部材
【図１】
0005925874.tif 000002
【図２】
0005925874.tif 000003
【図３】
0005925874.tif 000004
【図４】
0005925874.tif 000005
【図５】
0005925874.tif 000006
【図６】
0005925874.tif 000007
【図７】
0005925874.tif 000008
【図８】
0005925874.tif 000009
【図９】
0005925874.tif 000010
【図１０】
0005925874.tif 000011
【図１１】
0005925874.tif 000012
【図１２】
0005925874.tif 000013
【図１３】
0005925874.tif 000014
【図１４】
0005925874.tif 000015